(57)【特許請求の範囲】
【請求項１】
２種類の間隔で交互に配列されたパーフォレーションを備え、フイルム通路内を移送される写真フイルムに従動して回転するスプロケットにおいて、
回転自在に支持された回転中心部と、
前記回転中心部の周面に設けられ、短い間隔で並んだ一対のパーフォレーションが移動してきたときにこれらに順次に噛合して前記回転中心部を回転させる少なくとも一対の歯と、
前記回転中心部の周面でかつ前記一対の歯の回転方向の下流側に弾性変形自在に設けられ、前記一対のパーフォレーションに対する前記一対の歯の噛合が解除されたときに、前記写真フイルムのパーフォレーションが設けられていない部分に圧接し、その際の摩擦により前記一対の歯が次のパーフォレーションに噛合可能な位置にくるように前記回転中心部を回転させる圧接部とを備えたことを特徴とするスプロケット。
【請求項２】
前記圧接部は、弾性変形自在となるように前記回転中心部に一体に形成された一端と、前記一対の歯の回転方向の下流側に配置されて前記写真フイルムに圧接する自由端とを有することを特徴とする請求項１記載のスプロケット。
【請求項３】
前記圧接部は、弾性変形自在となるように前記回転中心部に一体に形成された一端と、前記一対の歯の回転方向の下流側に配置されて前記写真フイルムに圧接する自由端とを有し、前記自由端は、前記回転中心部に取り付けられたバネ部材によって弾性が補助されていることを特徴とする請求項１記載のスプロケット。
【請求項４】
前記圧接部は、前記一端が前記回転中心部の周面に設けられていることを特徴とする請求項２または３記載のスプロケット。
【請求項５】
前記自由端に設けられて前記写真フイルムに圧接する圧接面は、前記フイルム通路内のフイルムレールに押されたときに生じる前記写真フイルムの傾斜に合せて、傾斜されていることを特徴とする請求項２ないし４いずれか記載のスプロケット。
【請求項６】
前記一対の歯のうちの少なくとも一方の歯は圧接部と一体に設けられており、前記歯が前記パーフォレーションに噛合して押圧されたときに前記圧接部が回転方向の下流側に弾性変形し、この弾性変形に伴い前記歯が回転方向の下流側に、かつ前記写真フイルムが移送方向の下流側にそれぞれ移動されることを特徴とする請求項１ないし５いずれか記載のスプロケット。
【発明の詳細な説明】
【０００１】
【発明の属する技術分野】
本発明は、２種類の間隔で交互にパーフォレーションが設けられた写真フイルムの移送に従動して回転するスプロケットに関するものである。
【０００２】
【従来の技術】
最近、１３５タイプの写真フイルムパトローネより小さな樹脂製カートリッジに収納され、１コマあたり２個のパーフォレーションが形成されたアドバンストフォトシステム対応の写真フイルムと、これを使用するコンパクトカメラやレンズ付きフイルムユニット（例えば「写ルンですSuperSlim 」（商品名））が市販されている。
【０００３】
このレンズ付きフイルムユニットに搭載されているフイルム巻上げ装置には、一対の歯を二組、円周面の１８０°隔てた位置にそれぞれ形成したスプロケットが設けられている。写真フイルムにはパーフォレーションが連続的に設けられていないことから、スプロケットの歯がパーフォレーションの何れとも噛合されない状態が発生するが、装置に設けられた板状の付勢バネがスプロケットと同軸に設けられたカム部材を押圧し、これをスプロケットの従動回転方向に回動させることにより、スプロケットの歯は、次のパーフォレーションに噛合可能な位置まで移動される。そして、カム部材の回転によりシャッタチャージやカウンタ板による撮影可能枚数表示が行われる。
【０００４】
上記フイルム巻上げ装置は、カム部材を付勢バネによって強く押圧しているため、巻上げノブの操作が重くなるという欠点がある。これを改善するには、付勢バネの付勢力を弱くすればよいが、付勢バネの付勢力を弱くすると、スプロケットの回転が不十分になって、次の歯が写真フイルムに当接される位置まで十分に移動せず、パーフォレーションとの噛合が失敗するおそれがある。この問題を解決するために、短い距離のパーフォレションに噛合するスプロケットが形成された円板状部分の直径を大きくし、この部分を写真フイルムの平面部に当接させて摩擦力によりスプロケットを回転させるようにしたスプロケット及びフイルム巻き上げ装置が本出願人より提案されている。
【０００５】
【発明が解決しようとする課題】
しかしながら、上記スプロケットでは、写真フイルムとスプロケットとの位置関係によって摩擦力が大きく変動してしまうため、摩擦力が少ないと回転不良を起こし、摩擦力が大きいと写真フイルムに傷や圧力被りを発生させてしまうという問題があった。
【０００６】
本発明は、上記問題点を解決するためのもので、パーフォレーションが２種類の間隔で設けられた写真フイルムに確実に従動回転することができるスプロケットを提供することを目的とする。
【０００７】
【課題を解決するための手段】
上記問題点を解決するために、本発明は、回転中心部が設けられたスプロケット本体と、この回転中心部の周りに設けられ、短い間隔で並んだ一対のパーフォレーションが移動してきたときにこれらに順次に噛合する少なくとも一対の歯と、写真フイルムのパーフォレーションが設けられていない部分に弾性をもって当接する圧接部とからスプロケットを構成し、歯によるパーフォレーションへの噛合と、圧接部による写真フイルムへの摩擦とによって、写真フイルムの移送に従動して回転するようにしたものである。
【０００８】
【発明の実施の形態】
図２は、本発明のスプロケットを用いたレンズ付きフイルムユニット２の外観を示すものである。レンズ付きフイルムユニット２の前面には、撮影レンズ３，対物側ファインダ窓４，ストロボ発光を行うストロボ発光部５，ストロボユニットのオン，オフの切り換えを行う充電操作部材６，ファインダの視野範囲を切り換えるファインダ切換え操作つまみ７が設けられている。また、上面にはシャッタボタン８，残り撮影可能枚数を表示するカウンタ窓９，ストロボ充電の完了を表示する表示用ライトガイド１０が突出される開口１１や、全ての写真フイルムの巻き上げとフイルムカートリッジの遮光蓋の閉鎖との完了を表示する表示開口１２とが設けられている。また、レンズ付きフイルムユニット２の背面側からは、１コマの撮影ごとに回転操作される巻上げノブ１３が露呈され、対物側ファインダ窓４に対面する位置に接眼側ファインダ窓１４（図３参照）が設けられている。
【０００９】
図３に示すように、レンズ付きフイルムユニット２は、未露光の写真フイルム１６と略円柱形状のカートリッジ本体１７とからなるフイルムカートリッジ１８が装填される本体部１９と、この本体部１９の前面に組み付けられる露光ユニット２０及びストロボユニット２１と、本体部１９の前面側及び背面側を覆うように組み付けられる前カバー２２及び後カバー２３とから構成されており、これらは爪係合によって組み立てられる。
【００１０】
カートリッジ本体１７内には、写真フイルム１６の一端が係止されるスプール２５が回転自在に組み込まれており、更に特開平６−２６６０５３号公報で知られるようなフイルム送出し機構が内蔵されている。また、写真フイルム１６がカートリッジ本体１７内に出入りするフイルム出入り口（図示せず）には、外部から回動されることによりフイルム出入り口を開閉する棒状の遮光蓋２６が、従来のテレンプに代わって組み込まれている。
【００１１】
図４に示すように、写真フイルム１６はフイルム自由端部１６ａ，撮影領域１６ｂ，フイルム係止部１６ｃから構成されている。撮影領域１６ｂには、一方の側縁に沿ってサイズの異なった大小２個のパーフォレーション２８，２９が２種類の間隔で交互に配列されている。パーフォレーション２８，２９は、各コマ３０のフイルム給送方向の先頭側と後部側とを設定するもので、レンズ付きフイルムユニット２では撮影毎に写真フイルム１６をカートリッジ本体１７内に巻き込んでいくことから、大パーフォレーション２８がフイルム給送方向の先頭側を、小パーフォレーション２９が後部側を示している。各パーフォレーション２８，２９は、コマ３０の数に対応する数だけ設けられている。
【００１２】
フイルム係止部１６ｃは端部がスプール２５に係止されており、巻上げノブ１３の回転操作によるスプール２５の回転によって、スプール２５に巻き付けられる。フイルム自由端部１６ａとフイルム係止部１６ｃとは撮影に用いられない領域とされており、現像処理時に使用するための露光禁止領域となっている。そのため、フイルム自由端部１６ａとフイルム係止部１６ｃは、未露光の状態でカートリッジ本体１７内に巻き上げられる。
【００１３】
図示した写真フイルム１７は、一般のカメラに使用される写真フイルムに追加工を施してレンズ付きフイルムユニット用としたものである。カメラ用の写真フイルムとレンズ付きフイルムユニット用の写真フイルム１７との差異は、大パーフォレーション２８の大きさと、フイルム係止部１６ｃの範囲内に追加された初期チャージ用の小パーフォレーション３１である。カメラ用の写真フイルムでは全てのパーフォレーションの大きさが小パーフォレーション２９と同じ大きさとなっており、フイルム係止部１６ｃ内にパーフォレーション３１は存在しない。フイルム自由端部１６ａのパーフォレーション３２は、カメラに装填された際に最初のシャッタチャージを行うためのものである。
【００１４】
本体部１９は、前面中央部に、前面側に組み付けられる露光ユニット２０から写真フイルム１６までの間の撮影光路を遮光する遮光筒３４が設けられている。この遮光筒３４の背面側には、写真フイルム１６への露光範囲を規定するアパーチャーが形成されており、このアパーチャーに対面するように、後カバー２３には湾曲したフイルム支持面２３ａが形成されている。これにより、本体部１９とフイルム支持面２３ａとの間に形成されるフイルム通路は湾曲した形状になり、この中を移送され、フイルム支持面２３ａに支持される写真フイルム１６は湾曲される。したがって、撮影レンズ３の像面湾曲が補正され、露光画面全体にわたってピントの良好な画像を得ることができる。
【００１５】
遮光筒３４の前面側には、撮影レンズ３を透過した被写体光をアパーチャーに導くための開口３５が形成されている。また、遮光筒３４の上方には、露光ユニット２０に組み込まれたスプロケットを写真フイルム１６に向けて露呈させるための開口３４ａが形成されている。遮光筒３４を挟む両側には、製造段階でカートリッジ本体１７と、ロール状に巻かれた写真フイルム１６とがそれぞれ収納される、カートリッジ室３６とフイルムロール室３７とが一体に形成されている。
【００１６】
カートリッジ室３６及びフイルムロール室３７は、本体部１９の背面側に後カバー２３が組み付けられ、後カバー２３に一体に形成されたカートリッジ室用の底蓋３９と、フイルムロール室用の底蓋４０とが閉じられることにより、適正な遮光性が得られる。なお、底蓋３９，４０は、後カバー２３に対して屈曲自在な薄肉部を介して連結されており、底蓋３９は使用後のレンズ付きフイルムユニット２からフイルムカートリッジ１８を取り出す際に開放される。
【００１７】
カートリッジ室３６の上部には、巻上げノブ１３が回転自在に組み付けられている。この巻上げノブ１３は、外周にギヤが形成されており、下面に形成された駆動軸がカートリッジ本体１７のスプール２５に係合される。そして、１コマの撮影ごとに図中反時計方向に回転操作されることにより、スプール２５で写真フイルム１６を巻き上げる。また、巻上げノブ１３は、カートリッジ室３６の上面に形成された逆止爪４２がギヤに噛合されることにより、逆方向への回転を阻止されている。
【００１８】
また、カートリッジ室３６の上面には、巻上げノブ１３の回転数をカウントし、写真フイルム１６が全てカートリッジ本体１７内に巻き込まれる分だけ巻上げノブ１３が回転操作されると、カートリッジ本体１７の遮光蓋２６を閉じる遮光蓋閉鎖機構４４が組み込まれている。
【００１９】
ストロボユニット２１は、ストロボ回路が設けられたプリント基板２１ａと、これに組み付けられたストロボ発光部５とからなり、前カバー２２に設けられた充電操作部材６の上方へのスライドによって、スイッチ接片４６がプリント基板２１ａの接点部分に接触されることによりストロボ充電が行われ、シャッタレリーズにシンクロしてストロボ発光が行われる。また、プリント基板２１ａにはストロボユニット２１の電源となる乾電池４７を接続する金属接片も設けられている。
【００２０】
前カバー２２は、シャッタボタン８や表示開口１２等が一体に形成された前カバー本体４９と、この前カバー本体４０の前面中央部に取り付けられる前面パネル５０と、これら前カバー本体４９と前面パネル５０との間に組み込まれる視野切換板（図示せず）及び充電操作部材６とからなる。視野切換板は、前カバー本体４９と前面パネル５０との間で撮影光軸の周りに回動自在に取り付けられており、前面パネル５０に形成された円弧形状のスリット５１内でスライド操作される操作つまみ７によって回動される。視野切換板には、対物側ファインダ窓４と露光ユニット２０のファインダ光学系の間に挿脱される複数のファインダ枠が一体に形成されている。これらのファインダ枠は、ファインダ視野をパノラマ，ハイビジョン，標準視野等に制限する。
【００２１】
また、視野切換板はファインダ視野の切り換え以外に、プリントサイズを示すドットマークを写真フイルム１６に写し込むマーク写し込み機構をも切り換える。マーク写し込み機構５３は、本体部１９の遮光筒３４の周囲に組み込まれており、詳しくは図示しないが、写真フイルム１６の撮影範囲外に対面するように設けられた２個の写し込み開口と、これらの写し込み開口を選択的に開放，閉鎖するマーク切り換え板と、このマーク切り換え板を介して写し込み開口にマーク写し込み用の光をガイドする写し込み用ライトガイドと、これらを外光から遮光する遮光カバーと、視野切換板の回動をマーク切り換え板に伝達する回動レバー，スライドレバー等からなる。なお、写し込み用の光は、ストロボユニット２１のプリント基板２１ａの背面側に取り付けられた発光素子が用いられる。
【００２２】
露光ユニット２０は、プラスチック成形されたベース部５５に各種部品が組み付けられてユニット化され、遮光筒３４の前面に着脱自在に組み付けられる。ベース部５５の上面には、シャッタ機構を構成する複数の部品が組み付けられるとともに、ファインダ光学系を構成する対物レンズと接眼レンズとが組み付けられる。ベース部５５の前面には、撮影レンズ３を保持するレンズカバー５６が組み付けられており、このレンズカバー５６とベース部５５との間には、図５に示すように、写真フイルム１６への露光を行う露光開口５７が形成され、この露光開口５７を開閉するシャッタ羽根５８が揺動自在に組み付けられている。
【００２３】
また、この露光ユニット２０には、ストロボユニット２１の充電完了を表示する表示用ライトガイド１０が上下方向でスライド自在に取り付けられている。この表示用ライトガイド１０は、充電操作部材６の上方へのスライド操作に連動してレンズ付きフイルムユニット２の上面から外部に突出する。
【００２４】
ベース部５５の上面には、複数の軸や軸受け部が形成されており、これらの軸や軸受け部には、カム部材６０，スプロケット６１，シャッタ駆動レバー６２，第１バネ６３，カウンタ板６４，第２バネ６５，係止レバー６６等が回転自在に取り付けられる。また、ベース部５５の上面には、カム部材６０及びスプロケット６１の回転を補助する付勢バネ６７が取り付けられる。
【００２５】
カム部材６０は、上方から順に、カウンタ板６４を回転させるカウンタ駆動軸６８，係止レバー６６とでフイルム巻止めを行う巻止めカム６９，シャッタ駆動レバー６２をシャッタチャージ位置に回動させるチャージカム７０，スプロケット６１の回転補助を行う付勢カム７１，ベース部５５の上面に形成された軸受け部に挿入されて回転自在にカム部材６０を支持するとともに、下端にスプロケット６１が係合される軸部７２とからなり、これらはプラスチックによって一体に成形されている。
【００２６】
ベース部５５の軸受け部（図示せず）は下方が開放されているため、挿入されたカム部材６０の軸部７２が突出される。この突出された軸部７２の下端にスプロケット６１が係合される。露光ユニット２０が遮光筒３４の前面に取り付けられることにより、スプロケット６１は遮光筒３４の上部の開口３４ａから写真フイルム１６に向けて露呈され、写真フイルム１６に噛合と圧接とを行うことにより、写真フイルム１６の１コマ分の移送に従動して半回転する。
【００２７】
シャッタ駆動レバー６２は、第１バネ６３によって反時計方向（レリーズ位置）に向けて付勢されている。カム部材６０のシャッタチャージカム７０は、１８０°の回転対称で形成された羽根形状の突起からなり、スプロケット６１の回転によって回転してシャッタ駆動レバー６２の突部６２ａを押圧し、時計方向のチャージ位置に向けて回動させる。
【００２８】
係止レバー６６は、第２バネ６５によって時計方向の巻止め位置に向けて付勢されている。カム部材６０が半回転して、巻止めカム６９の溝６９ａが係止レバー６６の爪部６６ａに合致する位置に到達すると、係止レバー６６は第２バネ６５の付勢によって時計方向に回動され、爪部６６ａを溝６９ａに挿入する。これによりカム部材６０の回転が阻止され、フイルム巻止め状態となる。なお、第１バネ６３と第２バネ６５とでは、組付け時に巻き絞ることにより、第１バネ６３の方が第２バネ６５よりも付勢力が強いものとなっている。
【００２９】
係止レバー６６が爪部６６ａを巻止めカム６９に係合するために時計方向に回動されると、係止レバー６６から下方に向けて突出された係合部７４が、シャッタ駆動レバー６２から上方に向けて突出された被係合部７５の回動軌跡内に入り込んで係合し、シャッタ駆動レバー６２をチャージ位置で保持する。また、係止レバー６６が巻止めカム６９とシャッタ駆動レバー６２とに係合する際には、巻止め爪６６ｂが巻上げノブ１３の外周の歯に噛合される。これにより、カム部材６０によるフイルム巻止めとともに、巻上げノブ１３の回転禁止によるフイルム巻止めが行われる。
【００３０】
上記係合部７４と被係合部７５とが係合された後にシャッタボタン８が押下されると、シャッタボタン８の下面に形成された押圧ロッド７７が係止レバー６６のバネ掛け片６６ｃを押圧し、係止レバー６６は第２バネ６５の付勢に抗して反時計方向に回動される。係止レバー６６が反時計方向に回動されると、係合部７４と被係合部７５との係合が解除され、シャッタ駆動レバー６２は、第１バネ６３の付勢によって反時計方向に回動される。
【００３１】
シャッタ駆動レバー６２が反時計方向に回動されると、被係合部７５の下方に形成された蹴飛ばしアーム６２ｂがシャッタ羽根５８の一端部５８ａを蹴飛ばす。これにより、シャッタ羽根５８は軸着部５８ｂを中心に時計方向に揺動して露光開口５７を開放し、写真フイルム１６への露光が行われる。シャッタ羽根５８はバネ７９によって露光開口５７を塞ぐ位置に向けて付勢されているので、露光開口５７はすぐに閉じられる。
【００３２】
カム部材６０のカウンタ駆動軸６８は、カウンタ板６４の外周の歯に噛合している。カウンタ板６４の上面には、残り撮影枚数を表す目盛りが記されている。カウンタ駆動軸６８は、写真フイルム１６の１コマ分の移送によって半回転する際に、カウンタ板６４を１目盛り分だけ歩進させる。
【００３３】
付勢カム７１は、１８０°の回転対称で形成された一対の突起からなり、ベース部５５に組み付けられた付勢バネ６７によって押圧される。付勢バネ６７は、付勢カム７１を押圧することによりカム部材６０をスプロケット６１の従動方向に向けて回動させ、スプロケット６１の回転の補助を行う。付勢バネ６７は、金属薄板を屈曲させた板バネから形成されている。なお、付勢バネ６７の付勢力は、巻上げノブ１３の操作抵抗を増加させない程度に弱くしてある。
【００３４】
スプロケット６１は、図１及び図６に示すように、プラスチックで成形されたスプロケット本体８２と、このスプロケット本体８２に取り付けられる金属製のバネ部材８３とから構成されている。スプロケット本体８２には、カム部材６０の軸部７２が係合される係合穴８４が形成された略矩形の回転中心部８５と、この回転中心部８５の周囲に形成された２対の大歯８６，小歯８７，圧接部８８とからなる。大歯８６と小歯８７は、短い間隔、すなわち隣合うコマ３０間の大パーフォレーション２８と小パーフォレーション２９とに順次に噛合する。圧接部８８は、大歯８６と小歯８７とのいずれもがパーフォレーションと噛合していない際に、写真フイルム１６に圧接する。これら大歯８６，小歯８７，圧接部８８は、回転中心部８５の周囲に回転対称に２対が設けられている。
【００３５】
圧接部８８は略円弧形状をしており、一端８８ａが回転中心部８５と一体に形成されることにより弾性変形自在とされ、写真フイルム１６に圧接できるようになっている。また、圧接部８８の自由端８８ｂの外側の面となる圧接面８８ｃは、写真フイルム１６への圧接を確実にするために凸形状とされており、更に、写真フイルム１６への圧力が集中して圧力被りが発生しないように、緩やかに湾曲されている。また、スプロケット６１の回転中心のブレ等による写真フイルム１６への圧接力の変化が少なくなるように、圧接部８８は回転中心に対して偏心して形成されている。
【００３６】
バネ部材８３は、金属によって成形されており、スプロケット本体８２の係合穴８４を開放するための開口９０が形成された基板部９１と、この基板部９１の端部に形成され、大歯８６の内部に形成された爪９２に係合される被係合部９３と、回転中心部８５と圧接部８８との間に入り込んで圧接部８８の弾性を補助するとともに圧接部８８のクリープ変形を防止するバネ片９４とからなる。バネ片９４は、両端が基板部９１に接続されているため、塑性変形することなく確実に圧接片８８を押圧することができる。
【００３７】
１コマ分の写真フイルム１６がカートリッジ本体１７内に巻き上げられる間のフイルム移送に際して、図６（Ｂ）に示すように、大歯８６が大パーフォレーション２８から外れた後、圧接部８８が写真フイルム１６の面に強く押しつけられる。また、フイルム巻上げ時には、フイルム支持面２３ａによって湾曲されていた写真フイルム１６が引っ張られて平面状になろうとするから、写真フイルム１６の面と圧接部８８との密着は更に強くなり、圧接部８８と写真フイルム１６の面との間に摩擦が発生する。この摩擦により、同図（Ｃ）に示すように、小歯８７が写真フイルム１６に当接する待機位置まで、スプロケット６１が反時計方向に従動回転される。
【００３８】
写真フイルム１６への圧接時のスプロケット６１の状態を断面として表す図７に示すように、圧接部８８の圧接面８８ｃは傾斜されている。これは、フイルム通路内の写真フイルム１６の端縁が、フイルムレール９６に押されて傾斜するのに合わせたもので、これにより、圧接部８８は全体的に写真フイルム１６に圧接するようになるため圧力が集中せず、写真フイルム１６に傷や圧力被り等が発生するのを防止することができる。なお、撮影時に大歯８６が大パーフォレーション２８に噛合する状態では、写真フイルム１６はスプロケット６１によって押圧されないので、ピント面に影響を与えるおそれはない。
【００３９】
また、スプロケット６１の小歯８７は、圧接部８８上に形成しているが、これは、レンズ付きフイルムユニット２に一般のカメラ用のフイルムカートリッジを装填して使用することを防止するためである。図８に示すように、従来のスプロケット１００では、小歯１０１が一方のスプロケット１０２に噛合すると、大歯１０３は写真フイルム１０４のパーフォレーション１０２の一辺でのみ重なり合うため、大歯１０３がこの重なり合う辺を押し広げて無理に噛合してしまい、一般のカメラ用の写真フイルム１０４が使用可能となることがあった。このように写真フイルムが詰め替えられたレンズ付きフイルムユニットは非常に不安定な状態で使用されることになり、レンズ付きフイルムユニット全体の信頼性を損なうため問題となっていた。
【００４０】
しかしながら、図９に示すように、本発明のスプロケット６１では、小歯８７が一方のパーフォレーション１０２に噛合すると、小歯８７がパーフォレーション１０２に押されることにより圧接部８８が弾性変形し、写真フイルム１０４がスプロケット６１に対してやや移送方向側に移動することになる。これにより、パーフォレーション１０２の対面する両辺が大歯８６に重なり合うため、抵抗が大きくなり大歯８６がパーフォレーション１０２に噛合することがなくなる。これにより、使用済みレンズ付きフイルムユニットへの写真フイルムの詰め替え使用を防止することができる。
【００４１】
次に、上記実施形態の作用について説明する。レンズ付きフイルムユニット２を購入したユーザーは、始めに巻上げノブ１３を回転操作して撮影準備を行う。巻上げノブ１３が回転操作されると、図３に示すカートリッジ本体１７のスプール２５が巻上げ方向に回転され、図４に示すフイルム係止部１６ｃがカートリッジ本体１７内に巻き上げられる。
【００４２】
このフイルム巻上げ操作により写真フイルム１６の移送が開始されると、フイルム通路によって湾曲されていた写真フイルム１６が引っ張られて平面状になろうとし、更に圧接部８８が自身の弾性とバネ部材８３の弾性が働くため、図６（Ｂ）に示すように、写真フイルム１６の面が強くスプロケット６１の圧接部８８の圧接面８８ｃに密着される。これにより、写真フイルム１６の面と圧接部８８との間に摩擦が発生し、また付勢バネ６７からの付勢により、スプロケット６１とカム部材６０とは確実に従動方向に回転され、同図（Ｃ）に示すように、小歯８７が初期チャージ用の小パーフォレーション３１に噛合可能な待機位置まで移動される。付勢バネ６７の付勢力は、スプロケット６１の回転を補助する程度に弱くなっているから、巻上げノブ１３は軽い力で操作することができる。
【００４３】
また、図７に示すように、スプロケット６１の圧接部８８の圧接面８８ｃが、フイルム通路内の写真フイルム１６の傾斜に合わせて傾斜されているので、写真フイルム１６と圧接部８８とは全体的に均一に圧接し、写真フイルム１６に傷や圧力被り等が発生することはない。
【００４４】
更に写真フイルム１６が移送されると、図６（Ｄ）に示すように、スプロケット６１の小歯８７が小パーフォレーション３１に噛合し、同図（Ａ）に示すように、大歯８６が最初のコマ３０ａの大パーフォレーション２８に順次噛合する。巻上げノブ１３の回転操作が開始されてから大歯８６が大パーフォレーション２８に噛合するまでの間に、カム部材６０は反時計方向に半回転される。
【００４５】
カム部材６０が半回転する間にチャージカム７０がシャッタ駆動レバー６２の突部６２ａを押圧して、シャッタ駆動レバー６２を第１バネ６３の付勢に抗して時計方向に回動させる。シャッタ駆動レバー６２がチャージ位置に向けて回動されると、シャッタ駆動レバー６２による押圧が解除されるので、係止レバー６６は、第２バネ６５の付勢によって時計方向に回動する。
【００４６】
時計方向に回動した係止レバー６６は、爪部６６ａを巻止めカム６９の溝６９ａに係合させてカム部材６０の回転をロックするとともに、係合部７４をシャッタ駆動レバー６２の被係合部７５の移動軌跡内入り込ませる。これにより、チャージカム７０による押圧が解除されたシャッタ駆動レバー６２は、第１バネ６３の付勢によって反時計方向に回動し、被係合部７５と係合部７４とが係合する。
【００４７】
更に、係止レバー６６は巻止め爪６６ｂを巻上げノブ１３の外周のギヤに噛合させ、回転操作を阻止する。また、カウンタ板６４は、カウンタ駆動ギヤ６８によって時計方向に回転され、カウンタ窓９からは残り撮影枚数を示す目盛りが表示される。これにより、レンズ付きフイルムユニット２の撮影準備が完了する。
【００４８】
その後、ファインダで撮影範囲を確認し、シャッタボタン８を押し下げる。シャッタボタン８の下部に一体に形成された押圧ロッド７７が係止レバー６６のバネ掛け部６６ｃを押圧して反時計方向（巻き止め解除位置）に向けて回動させる。これにより、係止レバー６６の係合部７４とシャッタ駆動レバー６２の被係合部７５との係合が解除され、シャッタ駆動レバー６２は第１バネ６３の付勢によって反時計方向に回動する。
【００４９】
シャッタ駆動レバー６２は、ベース部５５とレンズカバー５６との間に揺動自在に組み付けられたシャッタ羽根５８の一端部５８ａを蹴飛ばしアーム６２ｂで蹴飛ばして揺動させる。これにより、露光開口５７が開放されて写真フイルム１６への露光が行われる。また、シャッタ羽根５８はバネ７９の付勢によってすぐに露光開口５７を閉じる。
【００５０】
シャッタ羽根５８を蹴飛ばしたシャッタ駆動レバー６２は、係止レバー６６をも蹴飛ばし、係止レバー６６を反時計方向に回動させる。これにより、爪部６６ａが巻止めカム６９の溝６９ａから抜け出し、フイルム巻止めが解除される。その後、巻上げノブ１３をフイルム巻上げ方向（反時計方向）に回転操作すると、前述のようにカム部材６０が半回転され、シャッタチャージとカウンタ板６４の一目盛り分の回動とフイルム巻止めとが行われる。
【００５１】
以上のように撮影とフイルム巻上げとを繰り返して最後のコマ３０ｂへの撮影が終了した後に、コマ３０ｂとフイルム自由端部１６ａとを含む、残り全ての写真フイルム１６のカートリッジ本体１７内への巻上げを行う。写真フイルム１６が全てカートリッジ本体１７内に巻き込まれるだけ巻上げノブ１３が回転操作されると、カートリッジ室３６の上部に組み込まれた遮光蓋閉鎖機構が作動して、カートリッジ本体１７の遮光蓋２６を閉鎖する。また、前カバー２２の上面に形成された表示開口１２から、写真フイルム１６の巻上げが全て終了したことを表示する。
【００５２】
全ての撮影が終了したレンズ付きフイルムユニット２は、ユーザーによって現像取扱店等に同時プリントの依頼の際に渡される。現像取扱店では、レンズ付きフイルムユニット２からフイルムカートリッジ１８を取り出して、現像処理とプリント処理とを行い、プリント写真とカートリッジ本体１７内に収められたネガフイルムとをユーザーに返却する。
【００５３】
また、ユーザーが自分でレンズ付きフイルムユニット２からフイルムカートリッジ１８を取り出し、一般のカメラ用の写真フイルムをレンズ付きフイルムユニット２に再装填する場合があるが、図９に示すように、圧接部８８の弾性変形によって大歯８６が一般の写真フイルム１０４のパーフォレーション１０２に噛合できないので、レンズ付きフイルムユニット２が不用意に再使用されるのを防止することができる。
【００５４】
以上説明した実施形態では、スプロケットの歯と圧接部とを２対設けたが、１対あるいは３対設け、フイルム１コマ移送の間に１回転あるいは１／３回転されるようにしてもよい。また、付勢バネを設けたが、スプロケットの圧接部とフイルム面との摩擦力が十分であれば付勢バネを省略することもできる。更に、バネ部材として金属製の板バネを用いたが、プラスチック製の板バネやゴム等を用いることもできる。
【００５５】
また、上記実施形態では、レンズ付きフイルムユニットに使用されるスプロケットを例に説明したが、本発明は、例えばローコストなコンパクトカメラ等にも適用することができる。
【００５６】
【発明の効果】
以上説明したように、本発明のスプロケットによれば、パーフォレーションに噛合する歯とともに、写真フイルムに弾性をもって圧接する圧接部を設けたので、パーフォレーションに歯が噛合しない間も、確実に写真フイルムの移送に従動して回転することができる。
【００５７】
また、別のバネ部材をスプロケット本体に取り付けるようにしたので、圧接部の弾性を補助するとともに、圧接部のクリープ変形を防止することができる。
【図面の簡単な説明】
【図１】本発明のスプロケットの構成を示す分解斜視図である。
【図２】本発明のスプロケットを用いたレンズ付きフイルムユニットの外観を示す斜視図である。
【図３】レンズ付きフイルムユニットの構成を示す分解斜視図である。
【図４】フイルムカートリッジの正面図である。
【図５】シャッタ機構，フイルム巻上げ機構，フイルム巻止め機構，カウンタ機構の構成を示す分解斜視図である。
【図６】写真フイルムの移送によるスプロケットの回転状態を示す説明図である。
【図７】スプロケットの写真フイルムへの圧接状態を示すレンズ付きフイルムユニットの要部断面図である。
【図８】従来のスプロケットとカメラ用の写真フイルムとの噛合状態を示す説明図である。
【図９】本発明のスプロケットとカメラ用の写真フイルムとの噛合状態を示す説明図である。
【符号の説明】
２  レンズ付きフイルムユニット
１６  写真フイルム
１７  カートリッジ本体
２０  露光ユニット
２８  大パーフォレーション
２９  小パーフォレーション
６１  スプロケット
８２  スプロケット本体
８３  バネ部材
８６  大歯
８７  小歯
８８  圧接部
【図１】
0004065584.tif 000002
【図２】
0004065584.tif 000003
【図３】
0004065584.tif 000004
【図４】
0004065584.tif 000005
【図５】
0004065584.tif 000006
【図６】
0004065584.tif 000007
【図７】
0004065584.tif 000008
【図８】
0004065584.tif 000009
【図９】
0004065584.tif 000010